(57)【要約】【課題】木炭の粉体の発生を抑制するとともに、木炭の吸湿特性等の機能が表裏両面で損なわれないようにして表裏を同じように使用できるようにし、利便性の向上を図る。【解決手段】細長状の袋１１に木炭を収納した木炭収納単体１０を用い、木炭収納単体１０を複数列設して列設体２０を形成し、列設体２０を布等の外皮５０で被覆して構成され、この木炭を複数のブロック体Ｂで構成し、ブロック体Ｂの大きさを水平方向の最大幅寸法Ｄが６０ｍｍ≦Ｄ≦１５０ｍｍ，垂直方向の高さ寸法Ｈが３０ｍｍ≦Ｈ≦１５０ｍｍにした。【選択図】  図１
2004174094.tif 000002
【特許請求の範囲】
【請求項１】
細長状の袋に木炭を収納した木炭収納単体を用い、該木炭収納単体を複数列設して列設体を形成し、該列設体を布等の外皮で被覆して構成される寝具用マットにおいて、
上記木炭を複数のブロック体で構成し、該ブロック体の大きさを水平方向の最大幅寸法Ｄが６０ｍｍ≦Ｄ≦１５０ｍｍ，垂直方向の高さ寸法Ｈが３０ｍｍ≦Ｈ≦１５０ｍｍにしたことを特徴とする寝具用マット。
【請求項２】
上記ブロック体を木材シートで包んだことを特徴とする請求項１記載の寝具用マット。
【請求項３】
上記袋を不織布で構成したことを特徴とする請求項１または２記載の寝具用マット。
【請求項４】
上記袋内に、複数のブロック体を覆い線材を多数列設した簀の子を該線材の長手方向を上記袋の長手方向に沿わせて収納したことを特徴とする請求項１，２または３記載の寝具用マット。
【請求項５】
上記列設体の一方側の面及び他方側の面の少なくともいずれか一方に木板を設け、該木板に多数の通気孔を設けたことを特徴とする請求項１，２，３または４記載の寝具用マット。
【請求項６】
上記木板を不織布で被覆したことを特徴とする請求項１，２，３，４または５記載の寝具用マット。
【請求項７】
上記列設体の一方側の面及び他方側の面の少なくともいずれか一方にクッション体を設けたことを特徴とする請求項１，２，３，４，５または６記載の寝具用マット。
【請求項８】
上記クッション体を上記列設体の両面に設け、一方のクッション体の厚さＤ１と、他方のクッション体の厚さＤ２との関係をＤ１＞Ｄ２としたことを特徴とする請求項７記載の寝具用マット。
【発明の詳細な説明】
【０００１】
【発明の属する技術分野】
本発明は、人が横臥する寝具用マットに係り、特に、多数の木炭ブロック体を布等の外皮で被覆して構成される寝具用マットに関する。
【０００２】
【従来の技術】
一般に、寝具用マットにおいて、木炭を内部に設けて、遠赤外線温熱効果や消臭効果等の付加効果を持たせるものがある。
この種の寝具用マットとしては、従来、例えば、特許文献１（実登３０４１５７６号公報）に掲載されたものが知られている。
図１２に示すように、この寝具用マットＭは、折りたたみ可能に３つの区分に区画された袋状の外皮１と、外皮１の各区画された部分の内部に夫々設けられ木炭の小塊を収容した３つの木炭入りシート２とを備えている。シート２は、行列状に区画されており、この各区画内に夫々木炭の小塊が収納されている。
【０００３】
また、従来、この種の寝具用マットとしては、例えば、特許文献２（実登３０１７３９２号公報）に掲載されたものも知られている。
図１３に示すように、この寝具用マットＭは、木製の矩形状底板５の周囲に木製の枠６を形成し、この枠６内において、底板５に木炭ブロック７を列設して接着剤で固設し、上側に和紙８を被覆して構成されている。木炭ブロック７は、木目方向（木の軸方向）に略直交して切断されており、底板５に対してその木目方向が略直交するように配置されている。
そして、上記のような寝具用マットＭを使用するときは、夫々、寝具用マットＭの上に布団やシーツ等を敷いてその上に横臥するようにしている。
【０００４】
【特許文献１】
実登３０４１５７６号公報
【特許文献２】
実登３０１７３９２号公報
【０００５】
【発明が解決しようとする課題】
ところで、上記従来の寝具用マットにあって、特許文献１（実登３０４１５７６号公報）記載の寝具用マットＭにおいては、木炭の小塊を使用しているので、崩れやすく、崩れた小塊が粉末状になった場合には、この粉末状の木炭が布団等を汚してしまうことがあるという問題があった。
【０００６】
また、特許文献２（実登３０１７３９２号公報）記載の寝具用マットＭにあっては、木炭の大きさを大きくしているため崩れ難く、粉末状になって布団を汚す事態はほとんどないが、木炭ブロック７は底板５に接着されているので、接着剤の影響で底板５側の面の吸湿特性が弱くなってしまい、寝具用マットＭの裏面側を横臥する面として表面側と同じように使用できないことになり、利便性に劣るという問題があった。
【０００７】
本発明は上記の問題点に鑑みて為されたもので、木炭の粉体の発生を抑制するとともに、木炭の吸湿特性等の機能が表裏両面で損なわれないようにして表裏を同じように使用できるようにし、利便性の向上を図った寝具用マットを提供することを目的とする。
【０００８】
【課題を解決するための手段】
このような目的を達成するための本発明の寝具用マットは、細長状の袋に木炭を収納した木炭収納単体を用い、該木炭収納単体を複数列設して列設体を形成し、該列設体を布団の外皮で被覆して構成される寝具用マットにおいて、
上記木炭を複数のブロック体で構成し、該ブロック体の大きさを水平方向の最大幅寸法Ｄが６０ｍｍ≦Ｄ≦１５０ｍｍ，垂直方向の高さ寸法Ｈが３０ｍｍ≦Ｈ≦１５０ｍｍにした構成としている。
【０００９】
これにより、細長状の袋に木炭を収納した木炭収納単体を用いているので、従来の接着剤で固着するものに比較して、木炭の吸湿特性等の機能が表裏両面で損なわれることがなく、表裏を同じように使用でき、利便性を向上させることができる。
また、木炭を複数のブロック体で構成し、ブロック体の大きさを水平方向の最大幅寸法Ｄが６０ｍｍ≦Ｄ≦１５０ｍｍ，垂直方向の高さ寸法Ｈが３０ｍｍ≦Ｈ≦１５０ｍｍにしたので、粉体を発生しにくく、粉体を発生することが抑制され、粉体が寝具用マット自体を汚しあるいはこれから漏れだして周囲を汚す事態を抑制することができる。
【００１０】
また、必要に応じ、上記ブロック体を木材シートで包んだ構成としている。通気性がよく、木炭の機能を十分に発揮させることができる。また、ブロック体同士の擦れ合いをある程度抑えることができ、粉体を発生することが抑制される。更に、木の香りも付与することができ、木の香りによるリラックス効果も期待できる。
また、必要に応じ、上記袋を不織布で構成している。粉体が単体の外へ流出し難くなり、この点でも、寝具用マット自体あるいはその周囲を汚す事態を抑制することができる。
【００１１】
更に、必要に応じ、上記袋内に、複数のブロック体を覆う線材を多数列設した簀の子を該線材の長手方向を上記袋の長手方向に沿わせて収納した構成としている。
この簀の子の介在により、木炭収納単体の表面に凹凸があっても、ある程度平面状にすることができ、横臥する面が平坦になる。そのため、横臥したとき、凹凸がない分、違和感がなく寝心地を良くすることができる。また、通気性も良く、内部のブロック体の移動も抑えることができるので、粉体を発生し難くできる。
【００１２】
更にまた、必要に応じ、上記列設体の一方側の面及び他方側の面の少なくともいずれか一方に木板を設け、該木板に多数の通気孔を設けた構成としている。この木板の介在により、木炭収納単体の表面に凹凸があっても、平面状にすることができ、横臥する面が平坦になる。そのため、横臥したとき、凹凸がない分、違和感がなく寝心地を良くすることができる。また、通気孔により通気性も確保することができる。
また、必要に応じ、上記木板を不織布で被覆した構成としている。通気性を損なうことなく木板の硬さを和らげることができる。
【００１３】
また、必要に応じ、上記列設体の一方側の面及び他方側の面の少なくともいずれか一方にクッション体を設けた構成としている。木炭のゴツゴツ感が伝わらないので寝心地を良くできる。
また、必要に応じ、上記クッション体を上記列設体の両面に設け、一方のクッション体の厚さＤ１と、他方のクッション体の厚さＤ２との関係をＤ１＞Ｄ２とした構成としている。厚さが大きい面と小さい面とを季節等によって使い分けて使用することができ、快適な睡眠を取ることができ、安眠効果が期待できる。
【００１４】
【発明の実施の形態】
以下、添付図面に基づいて、本発明の実施の形態に係る寝具用マットについて詳細に説明する。
図１乃至図８には第一の実施の形態に係る寝具用マットＭを示している。この寝具用マットＭは、図３に示すように、全体が矩形パネル上に形成されており、３枚を連設することにより、大人が横臥できる大きさになるように形成されている。
また、寝具用マットＭは、細長状の袋に木炭を収納した木炭収納単体１０を用い、この木炭収納単体１０を複数列設して列設体２０を形成し、この列設体２０を布等の外皮５０で被覆して構成されている。
【００１５】
図２に示すように、列設体２０は、その周囲が固綿等で構成される棒状の押え部材２１で囲繞され、矩形に形が整えられている。列設体２０を構成する木炭収納単体１０の袋１１は、通気性を有した細長状の不織布１２で形成され、不織布１２は細かい粒子を通し難い性質をもっており、不織布１２が袋状になるようにその端部を縫い合わせて構成されている。尚、不織布１２の外側を綿等で織られた布で被覆しても良く、この場合、不織布のみの場合と比較して耐久性が向上し、組立時の取り扱い性を良好にすることができる。
【００１６】
図４乃至図８に示すように、木炭収納単体１０内に収納される木炭は、木目方向Ｐ（木の軸方向）に略直交して切断された複数のブロック体Ｂからなり、木目方向Ｐが人が横臥する面と直交するように長手方向に沿って一列に列設されている。
ブロック体Ｂは、図５に示すように、その大きさは、水平方向の最大幅寸法Ｄが６０ｍｍ≦Ｄ≦１５０ｍｍ，垂直方向の高さ寸法Ｈが３０ｍｍ≦Ｈ≦１５０ｍｍに設定されている。
【００１７】
図６に示すように、各ブロック体Ｂは、木材シート１３で包まれている。木材シート１３は、木材をシート状に削り取ったもので、厚さが０．０５ｍｍ〜０．７ｍｍ程度のものである。
【００１８】
また、袋１１内には、複数のブロック体Ｂを覆い線材を多数列設した簀の子１４が、その線材の長手方向を袋１１の長手方向に沿わせて収納されている。この簀の子１４の介在により、木炭収納単体１０の表面が凹凸でもある程度平面状になり、横臥する面が平坦になる。
【００１９】
図１および図２に示すように、更に、列設体２０の一方側の面及び他方側の面の少なくともいずれか一方（実施の形態では両方）に木板３０が設けられている。この木板３０には多数の通気孔３０ａが行列状に形成されている。木板３０には、例えば固綿等によって形成される薄いクッション部材３１が付設されている。この木板３０及びクッション部材３１は不織布３２で被覆されている。
クッション部材３１は、例えば、５ｍｍ〜１２ｍｍ程度の厚さを有している。
【００２０】
更にまた、列設体２０の一方側の面及び他方側の面の少なくともいずれか一方（実施の形態では両方）に、固綿等で形成されるクッション体４０が設けられている。図１に示すように、一方のクッション体４０ａの厚さＤ１と、他方のクッション体４０ｂの厚さＤ２との関係は、Ｄ１＞Ｄ２に設定されている。例えば、クッション体４０ａの厚さＤ１をＤ１＝３０ｍｍ、他方のクッション体４０ｂの厚さＤ２をＤ２＝１５ｍｍとしている。
【００２１】
従って、この第一の実施の形態に係る寝具用マットＭを使用するときは、まず、図３に示すように、３枚連設し、横臥できる大きさにする。この際、冬場等、気温が低い場合には、厚さがＤ１のクッション体４０ａ側を上にし、また、夏場等、気温が高い場合には、厚さがＤ２のクッション体４０ｂ側を上にして使用する。
そして、この寝具用マットＭの上にシーツかあるいは、シーツを被せた布団を敷いてその上に横臥する。
【００２２】
クッション体４０を設けているので、木炭のゴツゴツ感が伝わらないので寝心地を良くできる。
また、クッション体４０ａ（厚さＤ１）のある面を横臥する面としたときは、クッション体４０ｂ（厚さＤ２）のある面と比較してクッション体４０の厚みの差分だけ空気を保持する体積が大きくなり、保温効果が期待できる。また、クッション体４０ｂ（厚さＤ２）のある面を横臥する面としたときは、クッション体４０ａ（厚さＤ１）のある面と比較して空気を保持する体積が小さくできる。そのため、季節等によって使い分けて使用することができ、例えば、冬場はクッション体４０ａ（厚さＤ１）の面を上にして横臥すれば暖かくなり、夏場はクッション体４０ｂ（厚さＤ２）の面を上にして横臥すれば涼しくなり、快適な睡眠を取ることができ、安眠効果が期待できる。
【００２３】
この場合、細長状の袋１１に木炭を収納した木炭収納単体１０を用いているので、従来の接着剤で固定するものに比較して、木炭の吸湿特性等の機能が表裏両面で損なわれることがなく、表裏を同じように使用でき、利便性が向上させられる。
【００２４】
詳しくは、木炭は多孔質であり吸着性に富むので、人体からでる汗等の湿気や悪臭を吸収する。そのため、横臥したときには、さらさら感があり、また、悪臭が抑制されるので、快適に寝ることができるようになる。
また、木炭は遠赤外線放射効率も良く、マイナスイオン効果もあり、人体に作用して、例えば、血液を弱アルカリ性にしたり血行を良くしたりする効果が期待できる。
【００２５】
また、木材シート１３、簀の子１４、クッション体４０を用いたので、通気性が良く、木炭の機能を十分に発揮させることができる。
更に、木板３０に通気孔３０ａを多数設けたので、寝具用マットＭの通気性を損なうことなく、この点でも、木炭の機能を十分に発揮させることができる。
【００２６】
更に、使用時において、木炭のブロック体Ｂは、木材シート１３で包まれ、しかも、袋１１内に収納されているので、互いに擦れ合おうとしても、木炭同士が接触していないので、木炭の小塊を使用した場合と比較して、粉末状になる事態が防止される。
【００２７】
更にまた、木炭収納単体１０内のブロック体の大きさは、最大幅寸法Ｄが６０ｍｍ≦Ｄ≦１５０ｍｍ，垂直方向の高さ寸法Ｈが３０ｍｍ≦Ｈ≦１５０ｍｍとある程度大きいので、粉体を発生しにくく、粉体が寝具用マットＭ自体を汚し、あるいはこれから漏れだしてその周囲を汚す事態が抑制される。
仮に、僅かでも粉体が生じた場合であっても、木炭収納単体１０の袋１１を不織布１２で構成しているので、袋１１外への流出が防止される。
【００２８】
また、木炭収納単体１０内に簀の子１４を設けているので、ブロック体Ｂは簀の子１４に保持され、ブロック体Ｂが木炭収納単体１０内で木目方向Ｐ方向へ動く事態をある程度制限でき、ブロック体Ｂ同士が擦れ合い難くなり、それだけ木炭の粉末が発生し難くなっている。
【００２９】
また、木材シート１３でブロック体Ｂを包んでおり、ブロック体Ｂ同士の擦れ合いをある程度抑えることができ、更に、木の香りも付与することができ、木の香りによるリラックス効果も期待できる。
また、木板３０を設けているので、内部のブロック体Ｂの移動を制限することができることから、粉体を発生し難くできる。この簀の子１４や木板３０の介在により、木炭収納単体１０の表面に凹凸があっても、平面状にすることができ、横臥する面が平坦になる。そのため、横臥したとき、凹凸がない分、違和感がなく寝心地を良くすることができる。
【００３０】
図９及び図１０には、本発明の第二の実施の形態に係る寝具用マットＭを示している。
この寝具用マットＭは、列設体２０と、クッション体４０と、列設体２０及びクッション体４０を被覆する外皮（図示せず）とが備えられている。
列設体２０は、第一の実施の形態と同様の木炭収納単体１０と、多数の木炭収納単体１０を保持する保持体２２とを備えている。保持体２２は、図１０に示すように、２枚の不織布を用い、例えば、一方の不織布２３は１１０ｍｍ間隔毎，他方の不織布２４は１８０ｍｍ間隔毎に双方を縫い合わせ、一方と他方の不織布からなる筒状のスペースＳを多数生じさせて構成されている。このスペースＳに、木炭収納単体１０を挿入して木炭収納単体１０を保持するようにしている。
【００３１】
クッション体４０は、列設体２０の上下両面に設けられ、第一の実施の形態と同様に、一方のクッション体４０ａの厚さＤ１をＤ１＝３０ｍｍ，他方のクッション体４０ｂの厚さＤ２をＤ２＝１５ｍｍとしている。
この第二の実施の形態に係る寝具用マットＭにあっては、第一の実施の形態と比較して、木板が無いため折り曲げを行なうことができ、この寝具用マットＭを畳むことが容易になるので、収納スペースの制約を軽減することができる。木炭収納単体１０の作用，効果は上記と同様である。
【００３２】
尚、図１１に示すように、寝具用マットＭの大きさは、２枚を連設することにより大人が横臥できる大きさ（Ａ）になるよう形成し、８枚を連設することにより大人が横臥できる大きさ（Ｂ）になるように形成し、あるいは、一枚のみで大人が横臥できる大きさ（Ｃ）になるように形成するなど、適宜の大きさに形成してよい。
【００３３】
【発明の効果】
以上説明したように、本発明の寝具用マットによれば、細長状の袋に木炭を収納した木炭収納単体を用いているので、従来の接着剤で固定するものに比較して、木炭の吸湿特性等の機能が表裏両面で損なわれることがなく、表裏を同じように使用でき、利便性を向上させることができる。
【００３４】
また、木炭を複数のブロック体で構成し、ブロック体の大きさを水平方向の最大幅寸法Ｄが６０ｍｍ≦Ｄ≦１５０ｍｍ，垂直方向の高さ寸法Ｈが３０ｍｍ≦Ｈ≦１５０ｍｍにしたので、粉体を発生することが抑制され、粉体が寝具用マットやその周囲を汚す事態を抑制することができる。
【００３５】
また、ブロック体を木材シートで包んだ場合には、通気性がよく、木炭の機能を十分に発揮させることができる。また、ブロック体同士の擦れ合いをある程度抑えることができ、更に、木の香りも付与することができ、木の香りによるリラックス効果も期待できる。
また、袋を不織布で構成した場合には、粉体が単体の外へ流出し難くなり、この点でも、粉体が寝具用マットやその周囲を汚す事態を抑制することができる。
【００３６】
更に、袋内に、複数のブロック体を覆う線材を多数列設した簀の子を線材の長手方向を袋の長手方向に沿わせて収納した場合には、この簀の子の介在により、木炭収納単体の表面に凹凸があっても、ある程度平面状にすることができ、横臥する面が平坦になる。そのため、横臥したとき、凹凸がない分、違和感がなく寝心地を良くすることができる。また、通気性も良く、内部のブロック体の移動も抑えることができるので、粉体を発生し難くできる。
更にまた、列設体の一方側の面及び他方側の面の少なくともいずれか一方に木板を設け、木板に多数の通気孔を設けた場合には、この木板の介在により、木炭収納単体の表面に凹凸があっても、平面状にすることができ、横臥する面が平坦になる。そのため、横臥したとき、凹凸がない分、違和感がなく寝心地を良くすることができる。また、通気孔により通気性も確保することができる。
【００３７】
また、列設体の一方側の面及び他方側の面の少なくともいずれか一方にクッション体を設けた場合には、寝心地を良くできる。
また、クッション体を上記列設体の両面に設け、一方のクッション体の厚さＤ１と、他方のクッション体の厚さＤ２との関係をＤ１＞Ｄ２とした場合には、季節等によって使い分けて使用することができ、快適な睡眠を取ることができ、安眠効果が期待できる。
【図面の簡単な説明】
【図１】本発明の第一の実施の形態に係る寝具用マットを示す断面図である。
【図２】本発明の第一の実施の形態に係る寝具用マットを示す一部切欠き分解斜視図である。
【図３】本発明の第一の実施の形態に係る寝具用マットの使用例を示す図である。
【図４】本発明の第一の実施の形態に係る寝具用マットの木炭収納単体を示す一部切欠き斜視図である。
【図５】本発明の第一の実施の形態に係る寝具用マットのブロック体を示す図である。
【図６】本発明の第一の実施の形態に係る寝具用マットのブロック体に木材シートを包んだ状態を示す図である。
【図７】本発明の第一の実施の形態に係る寝具用マットの木炭収納単体を示す縦断面図である。
【図８】本発明の第一の実施の形態に係る寝具用マットの木炭収納単体を示す横断面図である。
【図９】本発明の第二の実施の形態に係る寝具用マットを示す分解斜視図である。
【図１０】本発明の第二の実施の形態に係る寝具用マットにおいて保持体の作成の仕方を示す図である。
【図１１】本発明の各実施の形態に係る寝具用マットの大きさ及び組合せの他の例を示す斜視図である。
【図１２】従来の寝具用マットの一例を示す一部切欠き分解斜視図である。
【図１３】従来の寝具用マットの別の一例を示す一部切欠き斜視図である。
【符号の説明】
Ｍ  寝具用マット
Ｂ  ブロック体
Ｓ  スペース
１０  木炭収納単体
１１  袋
１２  不織布
１３  木材シート
１４  簀の子
２０  列設体
２１  押え部材
２２  保持体
３０  木板
３０ａ  通気孔
３１  クッション部材
３２  不織布
４０  クッション体
４０ａ  クッション体
４０ｂ  クッション体
５０  外皮
【図１】
2004174094.tif 000003
【図２】
2004174094.tif 000004
【図３】
2004174094.tif 000005
【図４】
2004174094.tif 000006
【図５】
2004174094.tif 000007
【図６】
2004174094.tif 000008
【図７】
2004174094.tif 000009
【図８】
2004174094.tif 000010
【図９】
2004174094.tif 000011
【図１０】
2004174094.tif 000012
【図１１】
2004174094.tif 000013
【図１２】
2004174094.tif 000014
【図１３】
2004174094.tif 000015